(57)【特許請求の範囲】
【請求項１】
剛性体であるブラインド外枠体に板状体であるスラッド支持部材を取り付け、該スラッド支持部材に設けた突起体であり先端に球状体を有する掛止部の当該球状部に、スラッドに設けた凹部状をなす被係止部を掛止することで、撓みを防止するブラインド。    
【発明の詳細な説明】
【０００１】
【発明の属する技術分野】
本発明はブラインドに関し、より詳しくは巻き上げ式ではない固定式のブラインドであり、スラッドの中央部の撓みを防止することが可能なブラインドに関する。
【０００２】
【従来の技術】
例えばエアコンの外部機の載置台に通風性を有すると共に、目隠しとしての性能も有するブラインドを取り付けることがある。図９は係るエアコンの外部機の載置台を示すものであり、側面にブラインド６０が嵌め込まれている。
【０００３】
【発明が解決しようとする課題】
ところがブラインドのスラッドが長尺にわたる場合、該スラッドの中央部が自重で撓むことがあり美観上好ましくない。
【０００４】
そこで本発明はスラッド中央部が撓むことがないブラインドを提供することを目的とする。
【０００５】
【課題を解決するための手段】
上記課題を解決するために本発明に係るブラインドは、剛性体であるブラインド外枠体に板状体であるスラッド支持部材を取り付け、該スラッド支持部材に設けた突起体であり先端に球状体を有する掛止部の当該球状部に、スラッドに設けた凹部状をなす被係止部を掛止するようにした。
【０００６】
上述のように本発明に係るブラインドはスラッド中央部をスラッド支持部材で支持することで撓みを防止することが可能となるのである。
【０００７】
【発明の実施の形態】
以下、好ましい発明の一実施形態につき図面を参照しながら述べる。
【０００８】
図１は本発明の斜視図であり、図２ａはスラッドの正面図であり、図２ｂは同右側面図であり、図３ａはスラッド支持部材の正面図であり、図３ｂは同右側面図であり、図４ａはスラッド支持部材の他の実施形態の正面図であり、図４ｂは同右側面図であり、図５ａは覆い部材の正面図であり、図５ｂは同平面図であり、図６はスラッド、スラッド支持部材及び覆い部材を組み立てた状態を側面視した図であり、図７はスラッド支持部材にスラッドを掛止した状態の斜視図であり、図８は支柱の斜視図である。
【０００９】
本発明に係るブラインドはスラッド中央部をスラッド支持部材で支持して成るものである。
【００１０】
スラッド１０は図２ａに示すように細長板状態であり、その裏面には図２ｂに示すように凹形状を呈する被掛止部１１が設けてある。
【００１１】
スラッド支持部材の一実施形態としては図３ａ、図３ｂに示すようなスラッド支持部材２０が考えられる。このスラッド支持部材２０は長尺の板状体であり、その裏面には突起体であり、その先端が球状体をなす掛止部２１が設けてある。
【００１２】
また、スラッド支持部材２０の両端には屈曲部２２が設けてある。この屈曲部２２は剛性体であるブラインド外枠体３０に、スラッド支持部材２０を取り付けるためのものであり、孔２２ａにネジを螺挿してネジ着したり、あるいは鋲を挿して鋲着したり、その他スラッド支持部材２０をブラインド外枠体３０に取り付けるために使用するものである。剛性体たるブラインド外枠体３０で支持されることによりスラッド１０の撓みを防止できるのである。
【００１３】
スラッド支持部材の他の実施形態としては図４ａ、図４ｂに示すようなスラッド支持部材２３が考えられる。このスラッド支持部材２３は短尺の板状態であり、その裏面には突起体であり、その先端が球状体をなす掛止部２４が設けてある。また、スラッド支持部材２３の一方端には屈曲部２５が設けてある。
【００１４】
短尺のスラッド支持部材２３は図６に示すように複数枚を継ぎ重ねて使用するものである。屈曲部２５は継ぐ部分で重ね合わせるためのものであり、孔２５ａにネジを螺挿してネジ着したり、あるいは鋲を挿して鋲着したり、その他スラッド支持部材２３同士を結合させるために使用するものである。
【００１５】
尚、スラッド支持部材２３を継ぎ重ねた際の端部にくる屈曲部２５は、スラッド支持部材２３を剛性体であるブラインド外枠体３０に取り付けるために使用するものである。剛性体たるブラインド外枠体３０で支持されることによりスラッド１０の撓みを防止できるのである。
【００１６】
スラッド１０のスラッド支持部材への取り付け方を、短尺であるスラッド支持部材２３にスラッド１０を取り付ける場面で説明する。図６や図７に示すようにスラッド支持部材２３に設けた掛止部２４に、スラッド１０の被掛止部１１を掛け止めることで、スラッド１０をスラッド支持部材２３で支持するのである。
【００１７】
長尺のスラッド支持部材２０によりスラッド１０を支持する場面は図示していないが短尺のスラッド支持部材２３による場合と同様掛止部２１に被掛止部１１を掛け止めることによる。
【００１８】
以上、スラッド支持部材によるスラッドの支持方法を述べてきたが、むろん係る方法に限定を受けるものではなく、スラッドの中央部を支持できる方法によれば任意のものでよい。
【００１９】
図５は覆い部材を示すものである。ここに覆い部材４０は細長板状体であり、スラッド支持部材を覆うために使用するものである。つまり短尺のスラッド支持部材２３を継ぎ重ねて使用する場合、その継ぎ目部分が見えると外観上好ましくないので、覆い部材４０により目隠しをするものである。具体的使用方法は図６に示すようにスラッド支持部材２０上に被せ、覆い部材４０に設けた孔４１をスラッド支持部材２３に設けた孔２５ａに重ねネジを螺挿してネジ着したり、あるいは鋲を挿して鋲着したり、その他の方法により固着するものである。
【００２０】
スラッド１０の両端は図８に示す支柱５０により支持されるものである。支柱５０は直角に交わる二壁面より成る板状体である。その一壁面には孔５１が複数設けてある。この孔５１にスラッド１０に設けた被掛止部１１を重ね合わせ、ネジを螺挿してネジ着したり、あるいは鋲を挿して鋲着したり、その他の方法によりスラッド１０を図１に示すように固定するのである。
【００２１】
また、支柱５０の上下端に設けた切欠き部５２にはブラインド外枠体３０を嵌め込み固定するものである。
【００２２】
【発明の効果】
本発明は以上のように構成されていることから、スラッド中央部が撓むことがないブラインドを提供することが可能となるのである。
【図面の簡単な説明】
【図１】  本発明に係るブラインドの斜視図。
【図２】  ａ  スラッドの正面図。
ｂ  同右側面図。
【図３】  ａ  スラッド支持部材の正面図。
ｂ  同右側面図。
【図４】  ａ  スラッド支持部材の他の実施形態の正面図。
ｂ  同右側面図。
【図５】  ａ  覆い部材の正面図。
ｂ  同平面図。
【図６】  スラッド、スラッド支持部材及び覆い部材を組み立てた状態を側面視した図。
【図７】  スラッド支持部材にスラッドを掛止した状態の斜視図
【図８】  支柱の斜視図。
【図９】  エアコン外部機載置台の斜視図。
【符号の説明】
１０・・スラッド      １１・・被掛止部
２０・・スラッド支持部材      ２１・・掛止部      ２２・・屈曲部
２２ａ・・孔      ２３・・スラッド支持部材      ２４・・掛止部
２５・・屈曲部      ２５ａ・・孔
３０・・ブラインド外枠体      ４０・・覆い部材      ４１・・孔
５０・・支柱      ５１・・孔      ５２・・切欠き部
【図１】
0003696581.tif 000002
【図２】
0003696581.tif 000003
【図３】
0003696581.tif 000004
【図４】
0003696581.tif 000005
【図５】
0003696581.tif 000006
【図６】
0003696581.tif 000007
【図７】
0003696581.tif 000008
【図８】
0003696581.tif 000009
【図９】
0003696581.tif 000010